(57)【要約】      （修正有）【課題】正確で取り扱い簡単な、一人で服を着たまま背中に湿布を貼ることができるローラー式湿布薬貼付器具を提供する。【解決手段】湿布を押さえローラー１０と送りベルト１２の間をまたぐ方法で装着すると、押さえローラーが回転するとき、湿布は押さえローラーの回転とともに押さえローラーの外周を沿うように降り、送りベルトとの間に自ら粘着面１９ａを出して背中に貼り付いていく。簡単な操作で、コンパクトな背中湿布薬貼付器具を提供できるとともに、柄を長くしていることで、背掻き兼湿布剥がし具、タオルクリップを取り付けることができ、多目的な背中ケアー用品として活用可能である。【選択図】図５
2013244115.tif 000002
【特許請求の範囲】
【請求項１】
柄の先端に支持フレームを設け、そのフレーム内に柄とは直交する方向に２個の平行した回転ローラーと、それらローラーを連動回転させる無端状の送りベルト、その送り出し側に間隔を開けて、前記回転ローラーと平行に回転自在の押さえローラーを取り付けており、これらからなることを特徴とするローラー式背中湿布薬貼付器具。
【請求項２】
支持フレームの上面に内側がスポンジ状のクッションを施した蓋を取り付けたことを特徴とする請求項１記載のローラー式背中湿布薬貼付器具。
【請求項３】
柄の先端にある支持フレームの先、柄の延長方向にもう一方の柄を取り付け、両方の手で操作できることを特徴とする請求項１記載のローラー式背中湿布薬貼付器具。
【請求項４】
支持フレーム内に取り付けた送りベルトに近接して、塗り薬等を塗布する出し入れ可能の機能を備えた塗布具を設けたことを特徴とする請求項１のローラー式背中湿布薬貼付器具。
【発明の詳細な説明】
【技術分野】
【０００１】
本発明は、湿布薬などの貼り薬を背中など自分の手の届かない部位に貼るための貼り付け具に関する。
【背景技術】
【０００２】
肩こりなどで背中に湿布を貼るとき、手の届く範囲であっても一人では無理な姿勢で貼ろうとするため、粘着部が重なったり衣服に付着したり困難なことであった。また手の届かない部位では他の人に頼んで服を脱いで貼ってもらう必要があった。
【０００３】
従来のローラー式貼付器具では、湿布薬をベルトの上に貼り付けて、ベルトが回転するときの急角度を利用してベルトから背中に転位させる方法（例えば、特許文献１参照）、粘着面を外向きにして、湿布薬の両端を前後それぞれ２個のローラーの間を通して固定した後、身体と衣服の間へ滑り込ませる方法（例えば、特許文献２参照）などがあった。
【先行技術文献】
【特許文献】
【０００４】
【特許文献１】特開平７−２９９１４７
【０００５】
【特許文献２】特開２００２−３６９８４３（Ｐ２００２−３６９８４３Ａ）
【発明の概要】
【発明が解決しようとする課題】
【０００６】
以上に述べた従来のローラー式貼付器具の一方（特許文献１）では、反対回転する２個のローラーとベルトが肌に着く地点で接しており、回転方向の関係が問題で、湿布をベルトから背中へ正確に転位させるには無理があり、他方（特許文献２）では、粘着面を露出して身体と衣服の間に滑り込ませるためには、肌に触れないよう器具を高く持ち上げる必要から、服を着たまま軽く移動させることは困難である。
【０００７】
本発明は、従来のこのようなローラー式器具が有する問題を改善し、正確で取り扱い簡単な、一人で服を着たまま背中に湿布を貼ることができるローラー式湿布薬貼付器具の実現を目標とするものである。
【課題を解決するための手段】
【０００８】
本発明は、柄の先端に支持フレームを設け、そのフレーム内には柄と直交する方向に２個の平行した回転ローラーとローラーを連動回転させる送りベルト、またその送り出し側に間隔を開けて、送りローラーと平行に回転自在の押さえローラーを取り付けており、図５（ａ）が示すように湿布をセットするときは、押さえローラーと送りベルトの間をまたいで貼り付けることを特徴とするものである。
【０００９】
支持フレームの上面に内側がスポンジ状のクッションを施した蓋を取り付けているため、湿布を軽く固定させることができる。
【００１０】
柄の先端にある支持フレームの先にもう一方の柄を取り付けているため、両方の手で操作することができる。
【００１１】
送りベルトに近接して、必要に応じて出し入れできる塗り薬の塗布具を設けたことで、かゆみ止めなどを塗った後、その位置から保護テープを貼付することが可能である。
【発明の効果】
【００１２】
押さえローラー半回転後が湿布の貼付開始位置であり、押さえローラーで患部を確認しながら操作していくので正確な部位に貼り付けることができる。
【００１３】
蓋の中にスポンジ状のクッションを施して中の湿布を軽く固定させているため、移動中のズレを防ぐことができるとともに、柄を長くして両手操作ができるため、動き易く姿勢にゆとりができ、背中の攣りジワをつくらず、ムラなく貼付することができる。
【００１４】
また、下方握り手に背中掻き兼用の湿布剥がし具を設け、その下方の窪みにタオルクリップを取り付けているため、剥がした後など、汗を拭いてから湿布を貼ることが可能である。
【図面の簡単な説明】
【００１５】
【図１】蓋を開けた側面図
【図２】蓋を閉じて、上下の中央から分断した側面断面図
【図３】蓋を閉じた上からの図
【図４】蓋を閉じた下からの図
【図５】装着実施状況図
【図６】貼付実施状況図
【図７】服を着て貼付する実施形態図
【発明を実施するための形態】
【００１６】
図1〜図４においては各部材の配置関係を示すものである。図５および図６は実施の状況を示すものであり、図７は服を着て貼付する形態図である。本発明の実施例を図５および図６の図面を参照にしつつ説明する。
【００１７】
図５（ａ）は本器具を台などの上に置き、蓋８を開け、湿布のビニールシートを剥がして送りベルト１２の上に貼り付けた図である。図５（ｂ）は湿布の先頭部２０ｃを両手指先で持って前に引き出し、押さえローラー１０の頂上付近にある「この線が湿布の先頭」９と表示している線に沿って貼ったところである。このとき、押さえローラーは９の表示箇所以外をマジックテープ状の細かな凹凸形状で巻いているため動くことはない。図５（ｃ）はゆっくり蓋８を閉めた状態で、押さえローラー１０と送りローラー１２の間をまたいで貼った湿布がスポンジ状クッション７で軽く押さえられ固定される。
【００１８】
図６（ａ）本器具を背中に送り込むとき、患部を押さえローラー１０で軽く叩くように探して、その部位に到達したとき、湿布の貼付位置が押さえローラーの半回転後になるため、さらに半回転分行き過ぎて止める。そのとき下方の柄５を反対側の手で受けて、両手で押さえてから引き上げる。下方の柄は伸縮する構造でできているため、下方の手は持ち易い位置で支えるだけの役を担い、上方の操作により柄を延ばしながら引き上げていく。図で示すように押さえローラーは自らに貼り付いた湿布を剥がしながら時計方向に回転していく。図中の矢印Ａは本器具の移動方向。矢印Ｂは押さえローラー、矢印Ｃは送りベルトの回転方向である。図６（ｂ）湿布は肌の弾力性によって、先頭部の手前から先に肌に付着するため、一時重なって押さえローラーの下で押圧される格好になるが、ローラーの下から抜けると肌の粘着力がローラーのそれに勝るため、点線Ｄで示すように自然に剥がれ、しかも下方に向いているため背中に降り貼り付いていく。図６（ｃ）押さえローラー１０に引っ張られて湿布を供給している送りベルト１２の上に湿布がなくなるとき、湿布の最後尾は点線Ｅで示すように弾かれて背中に付着する。図６（ｄ）湿布が全部貼り付くと、押さえローラー１０の表面を巻くマジックテープ（登録商標）状素材が肌に感じられるので、その時点で引き上げは終了。図６（ｅ）貼付された湿布は下方の柄５が傘の役割をして未だに服に触れていない状態で、矢印Ｆの示すように押さえローラーを下方に押し下げて、最初に直接押さえていなかった先頭部２０ｃまで戻り押さえ直して貼付完了である。
【００１９】
送りベルト１２に近接して、必要に応じて出し入れできる塗り薬の塗布具１５を設けており、かゆみ止めなどを塗った後、その塗布具を背中から外し直角に持ち上げると代って押さえローラーが背中に着く。その状態から押し上げて回転させると患部にガーゼテープを貼ることが可能である。
【符号の説明】
【００２０】
１  下方の握り手
２  タオルクリップ
３  背掻き兼湿布剥がし具
４  柄の伸縮部
５  下方の柄  
６  蓋の兆番
７  スポンジ状クッション
８  蓋
９  「この線が湿布の先頭」表示
１０  押さえローラー
１１  送りローラー
１２  送りベルト
１３  支持フレーム
１４  塗布具収納ケース
１５  塗布具
１６  蓋の開閉部
１７  上方の柄
１８  上方の握り手
１９ａ  湿布薬等の粘着面
１９ｂ  湿布薬の不粘着面
１９ｃ  湿布薬等の先頭部
２０  背中
２１  台
【図１】
2013244115.tif 000003
【図２】
2013244115.tif 000004
【図３】
2013244115.tif 000005
【図４】
2013244115.tif 000006
【図５】
2013244115.tif 000007
【図６】
2013244115.tif 000008
【図７】
2013244115.tif 000009